(57)【要約】      （修正有）【課題】アウトドアにおける昼寝などに用いることができる日除けマットを提供する。【解決手段】四角形のマット部１０と、上記マット部の上部で日除けを形成するカバー部２０とを備え、上記マット部の第１側辺１０Ａに上記カバー部の第１端２０Ａが接合されており、上記マット部の第２側辺１０Ｂと上記カバー部の第２端２０Ｂの近傍には、引き離し可能な第１留め具３０が設けられ、上記第１留め具を留めた状態で、上記マット部とのあいだに所定の空間をあけて上記カバー部が上記マット部の上部を覆うように構成され、上記カバー部の表面に熱反射層２１が形成され、上記カバー部の裏面に光吸収面２２が形成されている。上記空間に使用者が頭部を挿入して横臥すると、野外の昼寝で太陽光線は上記熱反射層で反射され、使用者の面前は裏面の光吸収面により暗くなる。【選択図】図１
0003234493.tif 000002
【実用新案登録請求の範囲】
【請求項１】
四角形のマット部と、上記マット部の上部で日除けを形成するカバー部とを備え、
上記マット部の第１側辺に上記カバー部の第１端が接合されており、
上記マット部の第２側辺と上記カバー部の第２端の近傍にはそれぞれ、引き離し可能な第１留め具が設けられ、
上記第１留め具を留めた状態で、上記マット部とのあいだに所定の空間をあけて上記カバー部が上記マット部の上部を覆うように構成され、
さらにその状態で、上記カバー部の表面に熱反射層が形成され、上記カバー部の裏面は光吸収面に形成されている
ことを特徴とする日除けマット。
【請求項２】
上記第１留め具を引き離した状態で折畳まれた上記マット部が、上記カバー部によって巻き付けられるように構成されている
請求項１記載の日除けマット。
【請求項３】
上記折畳まれた上記マット部に巻き付けられるカバー部には、上記カバー部の巻き付け状態を保持するための引き離し可能な第２留め具が設けられている
請求項２記載の日除けマット。
【請求項４】
上記折畳まれた上記マット部に、上記光吸収面を表側にした状態で上記カバー部が巻き付けられるように構成されている
請求項２または３記載の日除けマット。
【考案の詳細な説明】
【技術分野】
【０００１】
本考案は、たとえばアウトドアにおいて昼寝などに用いることができる日除けマットに関するものである。
【背景技術】
【０００２】
従来から、日除けカバーや寝具について、各種のものが提案されている。これら日除けカバーや寝具に関する先行技術文献として、出願人は下記の特許文献１〜３を把握している。
【先行技術文献】
【特許文献】
【０００３】
【特許文献１】特開２００１−３５３０４２号公報
【特許文献２】特許第６３３２７７９号公報
【特許文献３】特許第６６８５０５６号公報
【０００４】
〔特許文献１〕
上記特許文献１には、つぎの記載がある。
［００３０］
図１に示される如く、日除けカバー１０は、基本的には車両内の座席４０にシートベルト装置４２で固定保持された状態の、幼児が着座していないチャイルドシート３０に装着され、特に夏季の直射日光等を遮りチャイルドシート３０が高温になることを防止するために使用される。
［００３１］
図２に示される如く、日除けカバー１０は、熱を反射する素材であるアルミコーティング材の表地１２及びタオル材としてのパイル地の裏地１４を備えた２層構造とされ、開口部１６を有する柔軟な袋状に形成されている。
【０００５】
〔特許文献２〕
上記特許文献２には、つぎの記載がある。
［００１８］
図１に示すのは、第１実施形態に係る輻射熱利用寝具１であり、遮熱シート２とシート保持体３により構成される。そして、この輻射熱利用寝具１は、横臥状態の人体（敷き布団の上に横たわった利用者）に直接当たるように上掛けするものではなく、人体と輻射熱利用寝具１との間に適宜な空間が生ずるように配置するものである。
［００１９］
上記遮熱シート２は、ゴム、ガラス、炭素或いはポリエステル等の化学繊維からなる可撓性シート基材２１の少なくとも片面側へ、ポリエチレン等の溶着層２２によって、アルミホイル等輻射熱に対して高反射率の素材からなる遮熱層２３を熱融着したものである。また、可撓性シート基材２１の他面側には、任意の印刷や焼き付け加工等を施したプリント層２４を設けてあり、このプリント層２４によって、室内環境にマッチした柄や模様等を付けておくことができる。この遮熱シート２においては、プリント層２４側の装飾面２ａが外向きとなり、遮熱層２３側の遮熱面２ｂが内向き（横臥状態の人体側に向けて配置される状態）となるように使用する。
【０００６】
〔特許文献３〕
上記特許文献３には、つぎの記載がある。
［００２７］
図１に示す通り、実施形態１における携帯寝具システム１は、下敷き２０、エアマット１０、およびカバー部３０となるエアカバー４０を有している。また、エアマット１０とエアカバー４０は協働して保温空間５０を画定している。保温空間５０の一方の端部には第１メッシュシート５５が設けられ、他方の端部には遮断シート５６が設けられている。
［００３４］
図２（ｃ）に示す通り、エアカバー４０は、湾曲エアセル４１を縦方向に接続した、かまぼこ形に湾曲した構造である。湾曲エアセル４１は、横方向に沿って延びる上方に凸形状の部材である。湾曲エアセル４１に空気を充填して、所定の大きさに膨らませた状態で、エアカバー４０の両端部をエアマット１０の両端部に面ファスナーで着脱可能に固定している。空気が抜かれた状態で、エアカバー４０を縦方向に向かって回転することで丸めることができ、携帯が容易となる。
【考案の概要】
【考案が解決しようとする課題】
【０００７】
上記特許文献１は、表地１２に熱反射素材を形成した日除けカバー１０である。上記日除けカバー１０は、チャイルドシート３０に被せて使用するものであり、下面に開口部１６を有する袋状である。したがって、チャイルドシート３０に被せるだけであり、アウトドアにおいて大人が昼寝等の際に寝具として使用できるものではない。
【０００８】
上記特許文献２は、遮熱シート２とシート保持体３により構成される輻射熱利用寝具１である。上記輻射熱利用寝具１は、横臥状態の人体との間に適宜な空間が生ずるように配置し、上記輻射熱利用寝具１は、遮熱層２３側の遮熱面２ｂが内向き（横臥状態の人体側に向けて配置される状態）となるように使用する。したがって、上記遮熱面２ｂは、人体の熱を内側で反射して人体の保温に使用するものであり、アウトドアにおける昼寝等の際に日除けとして使用できるものではない。
【０００９】
上記特許文献３は、下敷き２０、エアマット１０、およびカバー部３０となるエアカバー４０を有した携帯寝具システム１である。上記携帯寝具システム１のカバー部には、熱反射機能を有しない。したがって、アウトドアにおける昼寝等の際に日除けとして使用できるものではない。
【００１０】
本考案は、上記課題を解決するため、つぎの目的をもってなされた。
たとえばアウトドアにおける昼寝などに用いることができる日除けマットを提供する。
【課題を解決するための手段】
【００１１】
請求項１記載の日除けマットは、上記の目的を達成するため、つぎの構成を採用した。
四角形のマット部と、上記マット部の上部で日除けを形成するカバー部とを備え、
上記マット部の第１側辺に上記カバー部の第１端が接合されており、
上記マット部の第２側辺と上記カバー部の第２端の近傍にはそれぞれ、引き離し可能な第１留め具が設けられ、
上記第１留め具を留めた状態で、上記マット部とのあいだに所定の空間をあけて上記カバー部が上記マット部の上部を覆うように構成され、
さらにその状態で、上記カバー部の表面に熱反射層が形成され、上記カバー部の裏面は光吸収面に形成されている。
【００１２】
請求項２記載の日除けマットは、請求項１記載の構成に加え、つぎの構成を採用した。
上記第１留め具を引き離した状態で折畳まれた上記マット部が、上記カバー部によって巻き付けられるように構成されている。
【００１３】
請求項３記載の日除けマットは、請求項２記載の構成に加え、つぎの構成を採用した。
上記折畳まれた上記マット部に巻き付けられるカバー部には、上記カバー部の巻き付け状態を保持するための引き離し可能な第２留め具が設けられている。
【００１４】
請求項４記載の日除けマットは、請求項２または３記載の構成に加え、つぎの構成を採用した。
上記折畳まれた上記マット部に、上記光吸収面を表側にした状態で上記カバー部が巻き付けられるように構成されている。
【考案の効果】
【００１５】
請求項１記載の日除けマットは、四角形のマット部とカバー部とを備えている。上記マット部の第１側辺に上記カバー部の第１端が接合されている。上記マット部の第２側辺と上記カバー部の第２端の近傍にはそれぞれ、引き離し可能な第１留め具が設けられている。上記第１留め具を留めた状態で、上記マット部とのあいだに所定の空間をあけて上記カバー部が上記マット部の上部を覆うように構成されている。この状態で、上記カバー部が、上記マット部の上部で日除けを形成する。さらにこの状態で、上記カバー部の表面に熱反射層が形成され、上記カバー部の裏面は光吸収面に形成されている。
マット部とカバー部のあいだに形成される上記空間に、使用者が頭部を挿入して横臥する。このとき、使用者の顔面が表面に熱反射層が形成されカバー部で覆われる。このため太陽光線は上記熱反射層で反射され、使用者の面前は裏面の光吸収面により暗くなる。このため、たとえばアウトドアでの昼寝などにおいて、日光を遮り、目の前を暗くして快適に眠ることができる。上記熱反射層は、屋外日中の太陽光線だけでなく、室内の照明光を遮ることもできる。また、使用中は使用者の耳の周りがマット部とカバー部によって囲われるため防音効果がある。したがって、本考案の日除けマットは、アウトドアでの昼寝に限らず、屋内での就寝に使用することも可能である。
【００１６】
請求項２記載の日除けマットは、上記第１留め具を引き離した状態で折畳まれた上記マット部が、上記カバー部によって巻き付けられるように構成されている。
上記マット部を折畳んで上記カバー部を巻き付けることにより、持ち運びや収納が容易になる。
【００１７】
請求項３記載の日除けマットは、上記折畳まれた上記マット部に巻き付けられるカバー部には、上記カバー部の巻き付け状態を保持するための引き離し可能な第２留め具が設けられている。
上記マット部を折畳んで上記カバー部を巻き付けた状態を、上記第２留め具が保持することにより巻き付けがゆるみにくくなり、持ち運びや収納の際に取り扱いが容易になる。
【００１８】
請求項４記載の日除けマットは、上記折畳まれた上記マット部に、上記光吸収面を表側にした状態で上記カバー部が巻き付けられるように構成されている。
上記マット部を折畳んで上記カバー部を巻き付けた状態で熱反射層が裏側に隠れるため、持ち運びの際に目立ちにくくなり、人目を気にしなくてすむ。
【図面の簡単な説明】
【００１９】
【図１】本考案の一実施形態における日除けマットを説明する斜視図である。
【図２】上記日除けマットを示す図であり、（Ａ）は側面図、（Ｂ）は正面図、（Ｃ）はカバー部の表面側から見た図、（Ｄ）はカバー部の裏面側から見た図である。
【図３】上記日除けマットの使用状態を説明する図である。
【図４】上記日除けマットを折畳む状態を説明する図である。
【考案を実施するための形態】
【００２０】
以下、本考案の額縁の実施形態について詳細に説明する。
【００２１】
〔全体構造〕
図１は、本考案の一実施形態における日除けマットを示す斜視図である。
【００２２】
この日除けマットは、四角形のマット部１０とカバー部２０とを備えている。上記カバー部２０は、上記マット部１０の上部で日除けを形成する。上記マット部１０は、内部にウレタン等が充填されてクッション性を有し、柔らかく容易に折り曲げることができるマットである。上記カバー部２０は、後述するように図１の状態（使用する状態である）において、表面に熱反射層２１が形成され、裏面が光吸収面２２に形成されている。
【００２３】
図２は、上記日除けマットを示す図であり、（Ａ）は側面図、（Ｂ）は正面図、（Ｃ）はカバー部の表面側から見た図、（Ｄ）はカバー部の裏面側から見た図である。
【００２４】
上記マット部１０は、この例では、表面側または裏面側からみた形状が長方形である。上記カバー部２０は、この例では、表面側または裏面側からみた形状が長方形であり、その長辺が上記マット部１０よりも１．５〜２倍程度になるように設定されている。上記マット部１０の第１側辺１０Ａに上記カバー部２０の第１端２０Ａが接合されている。この部分の接合はたとえば縫製によって行うことができる。
【００２５】
上記マット部１０の第２側辺１０Ｂと上記カバー部２０の第２端２０Ｂの近傍にはそれぞれ、引き離し可能な第１留め具３０が設けられている。上記第１留め具３０として具体的には、たとえば面ファスナー等を用いることができる。
【００２６】
上記第１留め具３０を留めた状態で、上記マット部１０とのあいだに所定の空間をあけて上記カバー部２０が上記マット部１０の上部を覆うように構成される（図１参照）。つまり、上記マット部１０のうえで上記カバー部２０は、カマボコ状の凸面を形成するように湾曲した状態で、上記マット部１０の上部を覆う。この状態で、上記カバー部２０が、上記マット部１０の上部で日除けを形成する。
【００２７】
さらにその状態で、上記カバー部２０の表面に熱反射層２１が形成され、上記カバー部２０の裏面は光吸収面２２に形成されている。上記熱反射層２１は具体的には、アルミニウムがコーティングされて外部からの光や熱を反射しうる面である。上記光吸収面２２は具体的には、黒色面とすることができる。
【００２８】
上記第１留め具３０を引き離した状態で折畳まれた上記マット部１０が、上記カバー部２０によって巻き付けられるように構成され、上記カバー部２０には、上記カバー部２０の巻き付け状態を保持するための引き離し可能な第２留め具４０が設けられている。上記第２留め具４０として具体的には、たとえば面ファスナー等を用いることができる。折畳む状態については後述する。
【００２９】
図３は、上記日除けマットの使用状態を説明する図である。
【００３０】
マット部１０とカバー部２０のあいだに形成される上記空間に、使用者が頭部を挿入し、上記マット部１０の上に頭部をのせた状態で横臥する。このとき、使用者の顔面が表面に熱反射層２１が形成されカバー部２０で覆われる。このため外からの光は上記熱反射層２１で反射され、使用者の面前は裏面の光吸収面２２により暗くなる。
【００３１】
図４は、上記日除けマットを折畳む状態を説明する図である。
【００３２】
図４（Ａ）に示すように、第１留め具３０を引き剥がして、マット部１０とカバー部２０が平らになるようにひろげる。図示の状態は、上記熱反射層２１を上に、上記光吸収面２２が下に位置するようにしている。この状態で、上記マット部１０を矢印で示すように二つ折りに折畳む。
【００３３】
図４（Ｂ）（Ｃ）（Ｄ）に示すように、二つ折りに折畳んだ上記マット部１０に対し、上記カバー部２０を図示の矢印で示すように、順次巻き付ける。このとき、上記熱反射層２１が内側になるように巻き付け、上記光吸収面２２が外側になるように巻き付ける。
【００３４】
図４（Ｅ）に示すように、上記第２留め具４０を留めることにより、上記カバー部２０の巻き付け状態を保持する。
【００３５】
このように、上記第１留め具３０を引き離した状態で折畳まれた上記マット部１０が、上記カバー部２０によって巻き付けられるように構成されている。上記折畳まれた上記マット部１０に巻き付けられるカバー部２０には、上記カバー部２０の巻き付け状態を保持するための引き離し可能な第２留め具４０が設けられている。上記折畳まれた上記マット部１０に、上記光吸収面２２を表側にした状態で上記カバー部２０が巻き付けられるように構成されている。
【００３６】
〔作用効果〕
上記実施形態の日除けマットは、四角形のマット部１０とカバー部２０とを備えている。上記マット部１０の第１側辺１０Ａに上記カバー部２０の第１端２０Ａが接合されている。上記マット部１０の第２側辺１０Ｂと上記カバー部２０の第２端２０Ｂの近傍にはそれぞれ、引き離し可能な第１留め具３０が設けられている。上記第１留め具３０を留めた状態で、上記マット部１０とのあいだに所定の空間をあけて上記カバー部２０が上記マット部１０の上部を覆うように構成されている。この状態で、上記カバー部２０が、上記マット部１０の上部で日除けを形成する。さらにこの状態で、上記カバー部２０の表面に熱反射層２１が形成され、上記カバー部２０の裏面は光吸収面２２に形成されている。
マット部１０とカバー部２０のあいだに形成される上記空間に、使用者が頭部を挿入して横臥する。このとき、使用者の顔面が表面に熱反射層２１が形成されカバー部２０で覆われる。このため太陽光線は上記熱反射層２１で反射され、使用者の面前は裏面の光吸収面２２により暗くなる。このため、たとえばアウトドアでの昼寝などにおいて、日光を遮り、目の前を暗くして快適に眠ることができる。上記熱反射層２１は、屋外日中の太陽光線だけでなく、室内の照明光を遮ることもできる。また、使用中は使用者の耳の周りがマット部１０とカバー部２０によって囲われるため防音効果がある。したがって、本考案の日除けマットは、アウトドアでの昼寝に限らず、屋内での就寝に使用することも可能である。
【００３７】
上記実施形態の日除けマットは、上記第１留め具３０を引き離した状態で折畳まれた上記マット部１０が、上記カバー部２０によって巻き付けられるように構成されている。
上記マット部１０を折畳んで上記カバー部２０を巻き付けることにより、持ち運びや収納が容易になる。
【００３８】
上記実施形態の日除けマットは、上記折畳まれた上記マット部１０に巻き付けられるカバー部２０には、上記カバー部２０の巻き付け状態を保持するための引き離し可能な第２留め具４０が設けられている。
上記マット部１０を折畳んで上記カバー部２０を巻き付けた状態を、上記第２留め具４０が保持することにより巻き付けがゆるみにくくなり、持ち運びや収納の際に取り扱いが容易になる。
【００３９】
上記実施形態の日除けマットは、上記折畳まれた上記マット部１０に、上記光吸収面２２を表側にした状態で上記カバー部２０が巻き付けられるように構成されている。
上記マット部１０を折畳んで上記カバー部２０を巻き付けた状態で熱反射層２１が裏側に隠れるため、持ち運びの際に目立ちにくくなり、人目を気にしなくてすむ。
【００４０】
〔変形例〕
以上は本考案の特に好ましい実施形態について説明したが、本考案は図示の実施形態に限定する趣旨ではない。本考案は、上述した以外の各種の態様に変形して実施することができ、上述した以外の各種の変形例を包含する趣旨である。
【符号の説明】
【００４１】
１０：マット部
１０Ａ:第１側辺
１０Ｂ：第２側辺
２０：カバー部
２０Ａ：第１端
２０Ｂ：第２端
２１：熱反射層
２２：光吸収面
３０：第１留め具
４０：第２留め具
【図１】
0003234493.tif 000003
【図２】
0003234493.tif 000004
【図３】
0003234493.tif 000005
【図４】
0003234493.tif 000006